(57)【要約】      （修正有）【課題】ブロック駒の連結にてなるボリューム感のあるネックレスに適用される着脱式の留め金具を提供する。【解決手段】多数の駒体の連結にてなる装身用のネックレスまたは健康補助用を兼ねたネックレスを首廻りに取付け取外しする雌雄着脱式の留め金具であって、一方の雌金具５はＣ形体の両翼間に掛止軸５ｂとガイド溝５ｃを設けてなり、他方の雄金具は鉤付の開閉板６ｂと舌片６ｃとを有し、開閉板のＣ形体内への進入と舌片のガイド溝内嵌入にて雌雄の金具間を掛着し、開閉板の押し開きにて雌雄の金具間の掛着を解くようにしたネックレスの着脱式留め金具。【選択図】図１
0003113093.tif 000002
【実用新案登録請求の範囲】
【請求項１】
多数の駒体の連結にてなる装身用のネックレスまたは健康補助用を兼ねたネックレスを首廻りに取付け取外しする雌雄着脱式の留め金具であって、一方の雌金具はＣ形体の両翼間に掛止軸とガイド溝を設けてなり、他方の雄金具は鉤付の開閉板と舌片とを有し、開閉板のＣ形体内への進入と舌片のガイド溝内嵌入にて雌雄の金具間を掛着し、開閉板の押し開きにて雌雄の金具間の掛着を解くようにしたことを特徴とするネックレスの着脱式留め金具。
【請求項２】
留め金具はネックレスを構成する駒体より幅広に大きく目立つように形成する請求項１に記載のネックレスの着脱式留め金具。
【考案の詳細な説明】
【技術分野】
【０００１】
この考案はネックレスの着脱式留め金具に関するものである。
【背景技術】
【０００２】
従来、ネックレスの着脱式留め金具としては、図５（ａ）に示す引き輪タイプと、図５（ｂ）に示す折り板ばねタイプなどがある。
【特許文献１】特開２００３−１０２５２３号公報
【考案の開示】
【考案が解決しようとする課題】
【０００３】
しかしながら、この種の留め金具は着用者が首の後側の見えないところで着脱操作をするので着脱がむずかしいという課題がある。また上記の引き輪タイプ、折り板ばねタイプは小リングの連結などにてなるネックレスには馴じむが、ボリューム感のあるブロック駒のネックレスには馴じまず、しかも取付けに困難するという課題がある。
【課題を解決するための手段】
【０００４】
本考案は、多数の駒体の連結にてなる装身用のネックレスまたは健康補助用を兼ねたネックレスを首廻りに取付け取外しする雌雄着脱式の留め金具であって、一方の雌金具はＣ形体の両翼間に掛止軸とガイド溝を設けてなり、他方の雄金具は鉤付の開閉板と舌片とを有し、開閉板のＣ形体内への進入と舌片のガイド溝内嵌入にて雌雄の金具間を掛着し、開閉板の押し開きにて雌雄の金具間の掛着を解くようにし、しかも留め金具をブロック駒より幅広に大きく目立つように形成して、首のうしろにおける着脱を至極容易にしたことにある。
【考案の効果】
【０００５】
本考案は、雄金具の開閉板を雌金具のＣ形体内に進入させるだけで素早く雌金具に掛着することができ、該開閉板の押しにて簡単に掛着を解いて分離することができるようにしたので、首の後側での見えない着脱操作を至極スムーズに行うことができるという効果を生ずる。
【０００６】
Ｃ形体内の裏面側にガイド溝を設けて雄金具の舌片を嵌入し当接させるようにして開閉板をガイドするようにしたので、開閉板は上下などにずれないで進入するという効果を生ずる。
【０００７】
留め金具はネックレスの駒体より幅広に目立つように大きく形成したので、着脱の際に留め金具を素早くつかむことができるという効果を生ずる。
【０００８】
本考案の着脱式留め金具は、雌金具、雄金具ともにピン連結する駒体と同様にネックレスの両端にピン連結による取付けができて取付けを容易にし、またブロック駒の連結にてなるネックレスによく馴じんでネックレスの品質を高めるという効果を生ずる。
【考案を実施するための最良の形態】
【０００９】
多数の駒体の連結にてなる装身用のネックレスまたは健康補助用を兼ねたネックレスを首廻りに取付け取外しする雌雄着脱式の留め金具であって、一方の雌金具はＣ形体の両翼間に掛止軸とガイド溝を設けてなり、他方の雄金具は鉤付の開閉板と舌片とを有し、開閉板のＣ形体内への進入と舌片のガイド溝内嵌入にて雌雄の金具間を掛着し、開閉板の押し開きにて雌雄の金具間の掛着を解くようにし、この留め金具をネックレスを構成する駒体より大きく目立つように形成して、首の後側での手探りによる着脱を至極容易にしたのである。
【実施例１】
【００１０】
図１乃至図３はブロック駒１，２の連結にてなる装身用のネックレスまたは健康補助用を兼ねたネックレス３の一例を示すもので、ネックレス３の両端に留め金具４として雌金具５と雄金具６を駒体の連結と同様にそれぞれピン７止め取付けする。
【００１１】
雌金具５は、平面視Ｃ形をしたＣ形体５ａとその両翼間に掛止軸５ｂを渡設し、Ｃ形体５ａの内側の裏面に段凹みさせてなるガイド溝５ｃを設けている。また雄金具６は、雌金具５のＣ形体５ａ内に進入する鉤６ａ付の開閉板６ｂとガイド溝５ｃに嵌入する舌片６ｃを設けている。６ｄは開閉板６ｂを開閉するように支持する止軸、６ｅは止軸６ｄの中間に巻き付けけた閉じ付勢用の巻きばね、６ｆは鉤６ａの前面に設けた傾斜面、６ｇは開閉板６ｂの基側上面に設けた押し開き用の突部である。なお留め金具４はネックレス３を構成する各ブロック駒１，２より幅広に大きくして目立つように形成している。
【００１２】
留め金具４を掛着するときは、雄金具６の開閉板６ｂをＣ形体５ａ内に進入させるのである。すると下側の舌片６ｃがガイド溝５ｃに嵌入して開閉板６ｂを案内するので、開閉板６ｂの鉤６ａの前面の傾斜面６ｆは掛止軸５ｂを滑り越えて鉤６ａを掛止軸５ｂ鉤当て掛着することとなる。留め金具４が幅広に大きくしてあることと、ガイド溝５ｃに舌片６ｃが嵌入することで、首の後側にて操作するにかかわらず開閉板５ｂは至極容易に進入して掛着することとなる。
【００１３】
留め金具４の掛着を解く際は、開閉板６ｂの基側上面に設けた突部６ｇを押すのである。巻きばね６ｅが圧縮して先部を上げ開きすることで鉤６ａは掛止軸５ｂより浮き離れて掛着を解くので、そのまま雄金具６を引き後退することで容易に解き離すことができる。
【実施例２】
【００１４】
図４は開閉板６ｂの突部６ｇを指掛かりのよい傾斜形６ｈにした例を示すもので、傾斜形６ｈ上に指を当てて雄金具６を引き離し操作するというワンタッチ操作にて留め金具４の掛着を解くことができることとなる。
【産業上の利用可能性】
【００１５】
本考案の留め金具は、各種の形状のブロック駒の連結にてなるネックレスに採用し得る留め金具として広く利用することができるものである。
【図面の簡単な説明】
【００１６】
【図１】（ａ）はネックレス取付けの留め金具を掛着した状態にて拡大して示す平面図、（ｂ）は同、掛着を解いた状態にて示す斜視図と透視平面図
【図２】（ａ）は留め金具を掛着前の状態にて示す部分拡大断面図、（ｂ）は掛着した状態の拡大断面図
【図３】突部を押して掛着を解きつつある状態を示す拡大断面図
【図４】突部を傾斜形にした実施例を示す部分拡大断面図
【図５】従来の留め金具の２例を示す部分拡大図
【符号の説明】
【００１７】
１，２はネックレスを構成するブロック駒
３はネックレス
４は留め金具
５は雌金具
５ａはＣ形体
５ｂは掛止軸
５ｃはガイド溝
６は雄金具
６ａは鉤
６ｂは開閉板
６ｃは舌片
６ｄは止軸
６ｅは巻きばね
６ｆは傾斜面
６ｇは突部
６ｈし傾斜形
７は連結用のピン
【図１】
0003113093.tif 000003
【図２】
0003113093.tif 000004
【図３】
0003113093.tif 000005
【図４】
0003113093.tif 000006
【図５】
0003113093.tif 000007